(57)【要約】【課題】高次の変調方式をサポートする適応変調符号化（ＡＭＣ）を可能とする。【解決手段】本発明のユーザ端末は、変調方式及び符号化率を示すチャネル品質識別子と仮想チャネル品質識別子とを関連付けるテーブルから、ワイドバンドのチャネル品質に対応する第１チャネル品質識別子と、前記第１チャネル品質識別子に関連付けられる第１仮想チャネル品質識別子と、サブバンドのチャネル品質に対応する第２チャネル品質識別子に関連付けられる第２仮想チャネル品質識別子とを取得する取得部と、前記第１チャネル品質識別子と、前記第１仮想チャネル品質識別子と前記第２仮想チャネル品質識別子とのオフセットを示すオフセット情報とを無線基地局に送信する送信部と、を具備する。【選択図】図８
2015185932.tif 000002
【特許請求の範囲】
【請求項１】
変調方式及び符号化率を示すチャネル品質識別子と仮想チャネル品質識別子とを関連付けるテーブルから、ワイドバンドのチャネル品質に対応する第１チャネル品質識別子と、前記第１チャネル品質識別子に関連付けられる第１仮想チャネル品質識別子と、サブバンドのチャネル品質に対応する第２チャネル品質識別子に関連付けられる第２仮想チャネル品質識別子とを取得する取得部と、
前記第１チャネル品質識別子と、前記第１仮想チャネル品質識別子と前記第２仮想チャネル品質識別子とのオフセットを示すオフセット情報とを無線基地局に送信する送信部と、を具備することを特徴とするユーザ端末。
【請求項２】
前記テーブルでは、前記変調方式及び符号化率におけるスペクトル効率の昇順にソートして、前記仮想チャネル品質識別子が付与されることを特徴とする請求項１に記載のユーザ端末。
【請求項３】
前記テーブルでは、前記変調方式及び符号化率におけるスペクトル効率の昇順にソートせずに、前記チャネル品質識別子が付与されることを特徴とする請求項１又は請求項２に記載のユーザ端末。
【請求項４】
前記変調方式は、２５６ＱＡＭ（Quadrature  Amplitude  Modulation）を含むことを特徴とする請求項１から請求項３のいずれかに記載のユーザ端末。
【請求項５】
ワイドバンドのチャネル品質に対応する第１チャネル品質識別子と、前記第１チャネル品質識別子に関連付けられる第１仮想チャネル品質識別子とサブバンドのチャネル品質に対応する第２チャネル品質識別子に関連付けられる第２仮想チャネル品質識別子とのオフセットを示すオフセット情報とを、ユーザ端末から受信する受信部と、
前記第１チャネル品質識別子に関連付けられる第１仮想チャネル品質識別子と前記オフセット情報とに基づいて、前記第２仮想チャネル品質識別子を算出する算出部と、
前記第２仮想チャネル品質識別子に基づいて、前記サブバンドのチャネル品質を取得する取得部と、を具備することを特徴とする無線基地局。
【請求項６】
ユーザ端末において、変調方式及び符号化率を示すチャネル品質識別子と仮想チャネル品質識別子とを関連付けるテーブルから、ワイドバンドのチャネル品質に対応する第１チャネル品質識別子と、前記第１チャネル品質識別子に関連付けられる第１仮想チャネル品質識別子と、サブバンドのチャネル品質に対応する第２チャネル品質識別子に関連付けられる第２仮想チャネル品質識別子とを取得する工程と、
前記ユーザ端末において、前記第１チャネル品質識別子と、前記第１仮想チャネル品質識別子と前記第２仮想チャネル品質識別子とのオフセットを示すオフセット情報とを無線基地局に送信する工程と、を有することを特徴とする無線通信方法。
【請求項７】
前記無線基地局において、前記第１チャネル品質識別子と、前記オフセット情報とを、前記ユーザ端末から受信する工程と、
前記無線基地局において、前記第１チャネル品質識別子に関連付けられる第１仮想チャネル品質識別子と前記オフセット情報とに基づいて、前記第２仮想チャネル品質識別子を算出する工程と、
前記無線基地局において、前記第２仮想チャネル品質識別子に基づいて、前記サブバンドのチャネル品質を取得する工程と、有することを特徴とする請求項６に記載の無線通信方法。
【発明の詳細な説明】
【技術分野】
【０００１】
本発明は、適応変調符号化（ＡＭＣ）が適用される無線通信システムにおけるユーザ端末、無線基地局及び無線通信方法に関する。
【背景技術】
【０００２】
無線通信システムにおけるリンクアダプテーションとして、変調方式と符号化率との少なくとも一つを適応的に調整する適応変調符号化（ＡＭＣ：Adaptive  Modulation  and  Coding）が知られている。
【０００３】
例えば、ロングタームエボリューション（ＬＴＥ）における適応変調符号化では、ユーザ端末からフィードバックされるチャネル品質識別子に基づいて、下り共有チャネル（ＰＤＳＣＨ：Physical  Downlink  Shared  Channel）の変調方式と符号化率との少なくとも一つが適応的に制御される（例えば、非特許文献１）。
【０００４】
具体的には、ＬＴＥにおける適応変調符号化では、ユーザ端末が、無線基地局からの信号のチャネル品質（例えば、ＳＮＲ、ＳＩＮＲなど）に対応するチャネル品質識別子を、無線基地局にフィードバックする。無線基地局は、フィードバックされたチャネル品質識別子に対応する変調方式（例えば、ＱＰＳＫ（Quadrature  Phase  Shift  Keying）、１６ＱＡＭ（Quadrature  Amplitude  Modulation）、６４ＱＡＭなど）と符号化率とを適用して、ＰＤＳＣＨを送信する。
【先行技術文献】
【非特許文献】
【０００５】
【非特許文献１】３ＧＰＰ  ＴＳ３６．２１３“Physical  layer  procedures”
【発明の概要】
【発明が解決しようとする課題】
【０００６】
ＬＴＥ−Ａｄｖａｎｃｅｄなどと呼ばれる将来の無線通信システムでは、ユーザ端末が、無線基地局からの信号をより高いチャネル品質で受信可能となることが想定される。特に、マクロセル内に設けられるスモールセルでは、ユーザ端末のチャネル品質がマクロセルよりも高くなることが想定される。このため、将来の無線通信システムにおける適応変調符号化では、例えば、２５６ＱＡＭ（Quadrature  Amplitude  Modulation）などの高次の変調方式をサポートすることにより、スペクトル効率を向上させることが望まれる。
【０００７】
本発明は、かかる点に鑑みてなされたものであり、高次の変調方式をサポートする適応変調符号化に適したユーザ端末、無線基地局及び無線通信方法を提供することを目的とする。
【課題を解決するための手段】
【０００８】
本発明のユーザ端末は、変調方式及び符号化率を示すチャネル品質識別子と仮想チャネル品質識別子とを関連付けるテーブルから、ワイドバンドのチャネル品質に対応する第１チャネル品質識別子と、前記第１チャネル品質識別子に関連付けられる第１仮想チャネル品質識別子と、サブバンドのチャネル品質に対応する第２チャネル品質識別子に関連付けられる第２仮想チャネル品質識別子とを取得する取得部と、前記第１チャネル品質識別子と、前記第１仮想チャネル品質識別子と前記第２仮想チャネル品質識別子とのオフセットを示すオフセット情報とを無線基地局に送信する送信部と、を具備することを特徴とする。
【発明の効果】
【０００９】
本発明によれば、高次の変調方式をサポートする適応変調符号化に適したユーザ端末、無線基地局及び無線通信方法を提供できる。
【図面の簡単な説明】
【００１０】
【図１】適応変調符号化（ＡＭＣ）が適用される無線通信システムの説明図である。
【図２】ＣＱＩテーブルの一例を示す図である。
【図３】サブバンドのＳＩＮＲの導出動作の一例を示すフローチャートである。
【図４】オフセットとオフセットインデックスとを関連付けるテーブルの一例を示す図である。
【図５】ＳＣＥシナリオの一例の説明図である。
【図６】２５６ＱＡＭをサポートするＣＱＩテーブルの一例の説明図である。
【図７】本発明の第１態様に係る無線通信方法で用いられるテーブルの説明図である。
【図８】本発明の第１態様に係る無線通信方法を示すフローチャートである。
【図９】本発明の第２態様に係る無線通信方法を示すフローチャートである。
【図１０】オフセットとオフセットインデックスとを関連付けるテーブルの他の例を示す図である。
【図１１】本実施の形態に係る無線通信システムの一例を示す概略図である。
【図１２】本実施の形態に係る無線基地局の全体構成の説明図である。
【図１３】本実施の形態に係るユーザ端末の全体構成の説明図である。
【図１４】本実施の形態に係る無線基地局の詳細構成の説明図である。
【図１５】本実施の形態に係るユーザ端末の詳細構成の説明図である。
【発明を実施するための形態】
【００１１】
図１−図２を参照し、適応変調符号化（ＡＭＣ）について説明する。図１は、ＡＭＣが適用される無線通信システムの説明図である。図２は、ＡＭＣで用いられるＣＱＩテーブルの一例を示す図である。
【００１２】
図１に示す無線通信システムにおいて、ユーザ端末（ＵＥ：User  Equipment）は、無線基地局（ｅＮＢ：eNodeB）からの参照信号（例えば、チャネル状態情報参照信号（ＣＳＩ−ＲＳ：Channel  State  Information-Reference  Signal）、セル固有参照信号（ＣＲＳ：Cell-specific  Reference  Signal））に基づいてチャネル品質を測定し、測定されたチャネル品質に基づいてチャネル品質識別子（ＣＱＩ：Channel  Quality  Indicator）インデックスを決定する。
【００１３】
具体的には、ユーザ端末は、図２に示すＣＱＩテーブルを参照し、測定されたチャネル品質に適用可能な変調方式及び符号化率を示すＣＱＩインデックスを決定する。ここで、チャネル品質とは、例えば、ＳＩＮＲ（Signal  to  Interference  plus  Noise  Ratio）や、ＳＮＲ（Signal  to  Noise  Ratio）、ＲＳＲＱ（Reference  Signal  Received  Quality）などである。
【００１４】
図２に示すように、ＣＱＩテーブルでは、ＣＱＩインデックスと変調方式と符号化率とが関連付けられる。例えば、図２では、ユーザ端末におけるチャネル品質に応じて、変調方式及び符号化率の１６種類の組み合わせが規定されている。このため、図２では、４ビットのＣＱＩインデックスを設けることで、当該１６種類の組み合わせを一意に識別できる。なお、ＣＱＩインデックスは、単に、チャネル品質識別子（ＣＱＩ）と呼ばれてもよい。
【００１５】
ユーザ端末は、図２に示すＣＱＩテーブルを参照して決定されたＣＱＩインデックスを無線基地局にフィードバックする。なお、ＣＱＩインデックスは、上り制御チャネル（ＰＵＣＣＨ：Physical  Uplink  Control  Channel）、上り共有チャネル（ＰＵＳＣＨ：Physical  Uplink  Shared  Channel）などを用いて、フィードバックされる。
【００１６】
無線基地局は、ユーザ端末からフィードバックされたＣＱＩインデックスに基づいて、下り共有チャネル（ＰＤＳＣＨ：Physical  Downlink  Shared  Channel）に適用する変調方式及び符号化率を決定する。具体的には、無線基地局は、図２に示すＣＱＩテーブルを参照し、フィードバックされたＣＱＩインデックスに対応する変調方式及び符号化率を取得する。無線基地局は、取得した変調方式及び符号化率に基づいて、ＰＤＳＣＨを送信する。
【００１７】
また、無線基地局は、ＰＤＳＣＨに適用される変調方式及び符号化率を示す変調符号化情報（例えば、ＭＣＳ：Modulation  and  Coding  Scheme）を含む下り制御情報（ＤＣＩ：Downlink  Control  Information）を下り制御チャネル（ＰＤＣＣＨ：Physical  Downlink  Control  Channel）を送信する。ユーザ端末は、変調符号化情報に基づいて、ＰＤＳＣＨを復調及び復号する。
【００１８】
以上のように、図１に示す無線通信システムでは、ワイドバンドにおけるＣＱＩインデックスがユーザ端末から無線基地局にフィードバックされる。また、図１に示す無線通信システムでは、無線基地局が、サブバンドのチャネル品質（以下では、ＳＩＮＲを一例として説明する）を導出（derive）可能に構成される。図３は、サブバンドのチャネル品質の導出動作を示すフローチャートである。なお、図３Ａは、ユーザ端末の動作を示し、図３Ｂは、無線基地局の動作を示す。
【００１９】
ここで、ワイドバンドとは、ユーザ端末に割り当てられるシステム帯域幅（System  bandwidth）であり、複数のリソースブロックを含んで構成される。また、サブバンドとは、ワイドバンドの一部の帯域であり、ワイドバンドを構成するリソースブロック数に応じた複数のリソースブロックを含んで構成される。
【００２０】
図３Ａに示すように、ユーザ端末は、ワイドバンドのＳＩＮＲ（ワイドバンドＳＩＮＲ）を測定し、図２に示すＣＱＩテーブルを参照し、測定されたワイドバンドＳＩＮＲに適用可能な変調方式及び符号化率を示すＣＱＩインデックス（ワイドバンドＣＱＩインデックス）を導出する（ステップＳＴ１１）。
【００２１】
ユーザ端末は、サブバンドのＳＩＮＲ（サブバンドＳＩＮＲ）を測定し、図２に示すＣＱＩテーブルを参照し、測定されたサブバンドＳＩＮＲに適用可能な変調方式及び符号化率を示すＣＱＩインデックス（サブバンドＣＱＩインデックス）を導出する（ステップＳＴ１２）。
【００２２】
ユーザ端末は、ステップＳＴ１２で導出されたサブバンドＣＱＩインデックスからステップＳＴ１１で導出されたワイドバンドＣＱＩインデックスを減算して、ワイドバンドＣＱＩインデックスとサブバンＣＱＩインデックスとのオフセット（差）を算出する（ステップＳＴ１３）。当該オフセットは、Differential  CQI  offset  level、Differential  CQI  offset、Offset  levelなどとも呼ばれる。
【００２３】
ユーザ端末は、図４に示すテーブルを参照し、算出されたオフセットを示すオフセットインデックスを決定する。当該、オフセットインデックスは、Subband  differential  CQI  value、Differential  CQI  indexなどとも呼ばれる。例えば、サブバンドＣＱＩインデックスが「１５」であり、ワイドバンドＣＱＩインデックスが「６」である場合、サブバンドＣＱＩインデックスとワイドバンドＣＱＩインデックスとのオフセット（差）は２以上であるので、オフセットインデックス（Subband  differential  CQI  value）は２となる。
【００２４】
ユーザ端末は、決定されたオフセットインデックスと、ステップＳＴ１１で導出されたワイドバンドＣＱＩインデックスとを無線基地局にフィードバックする（ステップＳＴ１４）。各サブバンドのサブバンドＣＱＩインデックスの代わりに、オフセットインデックスをフィードバックすることで、無線基地局に対するフィードバック量を低減できる。
【００２５】
図３Ｂに示すように、無線基地局は、ユーザ端末からフィードバックされたワイドバンドＣＱＩインデックスとオフセットインデックス（Differential  CQI  index）とを加算して、サブバンドＣＱＩインデックスを算出する（ステップＳＴ２１）。無線基地局は、算出されたサブバンドＣＱＩインデックスに基づいて、サブバンドＳＩＮＲを導出する（ステップＳＴ２２）。
【００２６】
ところで、以上のような適応変調符号化（ＡＭＣ）は、マクロセル内に配置されるスモールセルにおいても適用されることが検討されている。図５は、マクロセル内にスモールセルが配置される無線通信システム（ＨｅｔＮｅｔ（Heterogeneous  Network）、ＳＣＥ（Small  Cell  Enhancement）シナリオ）の一例を示す図である。
【００２７】
図５に示すように、ＳＣＥシナリオでは、特定範囲のクラスター（small  cell  cluster）内に高密度にスモールセルが配置される。なお、スモールセルの配置密度は、図５に示すように高密度であってもよいし（Dense  small  cell）、低密度であってもよい（Sparse  small  cell）。また、スモールセルは、屋内（indoor）に配置されてもよいし、屋外（outdoor）に配置されてもよい。
【００２８】
図５に示すＳＣＥシナリオ（特に、スモールセルが屋内に配置される場合）においては、スモールセル内のユーザ端末のチャネル品質（例えば、ＳＩＮＲ）が良好であり、高次の変調方式を適用可能となることが想定される。このため、スモールセルでは、６４ＱＡＭよりも高次の変調方式（例えば、２５６ＱＡＭ）をサポートすることで、スペクトル効率を向上させることが望まれる。
【００２９】
例えば、２５６ＱＡＭをサポートする場合、図６に示すＣＱＩテーブルを用いることが考えられる。図６は、２５６ＱＡＭをサポートするＣＱＩテーブルの一例を示す図である。図６において、Ｃ１−Ｃ４は、それぞれ、所定の符号化率を示し、Ｃ１＜Ｃ２＜Ｃ３＜Ｃ４である。また、Ｅ１−Ｅ４は、それぞれ、スペクトル効率（EFFICIENCY）を示し、Ｅ１＜Ｅ２＜Ｅ３＜Ｅ４である。なお、図６は、一例にすぎず、値等は、これに限られるものではない。例えば、図６のスペクトル効率（EFFICIENCY）は、省略されてもよい。
【００３０】
図６に示すように、２５６ＱＡＭをサポートするＣＱＩテーブルは、一部のＣＱＩインデックスが、既存の変調方式（例えば、ＱＰＳＫ）及び符号化率を示す代わりに、２５６ＱＡＭ及び符号化率を示すように置換されたものである。例えば、ＣＱＩインデックス「２」は、図２に示すＣＱＩテーブルではＱＰＳＫ及び符号化率「１２０」を示すが、図６に示すＣＱＩテーブルでは２５６ＱＡＭ及び符号化率Ｃ１を示す。このように、一部のＣＱＩインデックスが示す変調方式及び符号化率を置換することにより、２５６ＱＡＭのサポートによるＣＱＩインデックスのビット数の増加を回避できる。
【００３１】
また、図６に示すＣＱＩテーブルでは、図２において低次の変調方式（ここでは、ＱＰＳＫ）及び符号化率を示すＣＱＩインデックス（例えば、「２」、「４」、「６」）が、より多く、２５６ＱＡＭと符号化率との組み合わせを示すように置換されている。これは、２５６ＱＡＭなどの高次の変調方式が適用される環境においては、ＱＰＳＫなどの低次の変調方式が適用される確率は低くなることが想定されるためである。
【００３２】
また、図６に示すＣＱＩテーブルでは、２５６ＱＡＭ及び符号化率を示すＣＱＩインデックス（例えば、「２」、「４」、「６」、「１５」）以外のＣＱＩインデックスは、図２に示すＣＱＩテーブルと同じ変調方式及び符号化率を示す。このため、変調方式及び符号化率をスペクトル効率の昇順にソートしてＣＱＩインデックスが再付与される場合と比較して、既存方式との互換性を向上させることができる。
【００３３】
しかしながら、図６に示すように変調方式及び符号化率をスペクトル効率の昇順にソートせずにＣＱＩインデックスが付与されるＣＱＩテーブルを用いて、図３に示す導出動作を行う場合、無線基地局がユーザ端末におけるサブバンドＳＩＮＲを正しく導出できない恐れがある。
【００３４】
例えば、ユーザ端末が、図６に示すＣＱＩテーブルを参照し、２５６ＱＡＭ及び符号化率Ｃ３を示すＣＱＩインデックス「６」をワイドバンドＣＱＩインデックスとして導出し（図３ＡのステップＳＴ１１）、２５６ＱＡＭ及び符号化率Ｃ４を示すＣＱＩインデックス「１５」をサブバンドＣＱＩインデックスとして導出（図３ＡのステップＳＴ１２）する場合を考える。
【００３５】
この場合、サブバンドＣＱＩインデックス「１５」とワイドバンドＣＱＩインデックス「６」の実質的な差は１段階であるのに、ユーザ端末は、サブバンドＣＱＩインデックスとワイドバンドＣＱＩインデックスとのオフセット（差）として「１５−６＝９」を算出してしまう（図３ＡのステップＳＴ１３）。また、当該オフセット「９」は２以上であるので、ユーザ端末は、図４に示すテーブルに基づいて、オフセットインデックス（Subband  differential  CQI  value、Differential  CQI  indexなどともいう）を「２」に決定してしまう。
【００３６】
上述のように、オフセットインデックス「２」は、サブバンドＣＱＩインデックスとワイドバンドＣＱＩインデックスとのオフセット（差）が２以上であることを示すにすぎない。このため、ユーザ端末からフィードバックされたワイドバンドＣＱＩインデックス「６」とオフセットインデックス「２」とに基づいて、無線基地局がサブバンドＣＱＩインデックスを算出する場合（図４のステップＳＴ２１）、当該サブバンドＣＱＩインデックスは、「８」−「１５」のいずれかの値をとり得ることとなる。
【００３７】
ここで、図６に示すＣＱＩテーブルによると、サブバンドＣＱＩインデックスが「８」−「１４」のいずれかである場合、当該サブバンドＣＱＩインデックスに基づいて算出されるサブバンドＳＩＮＲは、ワイドバンドＣＱＩインデックス「６」に基づいて算出されるワイドバンドＳＩＮＲよりも小さくなる。図６では、ＣＱＩインデックス「８」―「１４」は１６ＱＡＭ又は６４ＱＡＭを示すのに対して、ＣＱＩインデックス「６」は２５６ＱＡＭを示すためである。
【００３８】
一方、サブバンドＣＱＩインデックスが「１５」である場合、当該サブバンドＣＱＩインデックスに基づいて算出されるサブバンドＳＩＮＲは、ワイドバンドＣＱＩインデックス「６」に基づいて算出されるワイドバンドＳＩＮＲよりも大きくなる。図６では、ＣＱＩインデックス「１５」及び「６」の双方が２５６ＱＡＭを示すが、ＣＱＩインデックス「１５」が示す符号化率Ｃ４は、ＣＱＩインデックス「６」が示す符号化率Ｃ３よりも大きいためである。
【００３９】
このように、図６に示すＣＱＩテーブル用いて図３に示す導出動作を行う場合、無線基地局は、ユーザ端末におけるサブバンドＳＩＮＲがワイドバンドＳＩＮＲよりも小さいのか又は大きいかを把握できず、サブバンドＳＩＮＲを正しく導出できない恐れがある。そこで、本発明者らは、変調方式及び符号化率に対してスペクトル効率の昇順にソートせずにＣＱＩインデックスが付与されるＣＱＩテーブル（例えば、図６に示すＣＱＩテーブル）を用いる場合に、ユーザ端末におけるサブバンドＳＩＮＲを無線基地局が正しく導出可能とする方法を検討し、本発明に至った。
【００４０】
以下、本発明に係る無線通信方法を詳細に説明する。以下では、６４ＱＡＭよりも高次の変調方式として２５６ＱＡＭをサポートする例を説明するが、これに限られない。また、本発明に係る無線通信方法において、無線基地局とは、スモールセルを形成する無線基地局（スモール基地局）であってもよいし、マクロセルを形成する無線基地局（マクロ基地局）であってもよい。
【００４１】
（第１態様）
本発明の第１態様に係る無線通信方法を説明する。図７は、本発明の第１態様に係る無線通信方法で用いられるテーブルの説明図である。なお、図７Ａ及び７Ｂにおいて、Ｃ１−Ｃ４及びＥ１−Ｅ４は、図６で説明した通りである。
【００４２】
第１態様に係る無線通信方法では、図６に示すＣＱＩテーブルのＣＱＩインデックスと、仮想ＣＱＩインデックスとが関連付けられる。図７Ａに示すように、仮想ＣＱＩインデックスは、既存のエントリ（既存の変調方式（例えば、ＱＰＳＫ、１６ＱＡＭ、６４ＱＡＭ）と符号化率との組み合わせ）を示す場合、ＣＱＩインデックスと同一の値である。一方、仮想ＣＱＩインデックスは、２５６ＱＡＭ用のエントリ（２５６ＱＡＭと符号化率との組み合わせ）を示す場合、図７Ｂに示す規則に従って定められる。
【００４３】
図７Ｂにおいて、Ｙ１、Ｙ２、Ｙ３、Ｙ４は、既存の変調方式（例えば、ＱＰＳＫ）及び符号化率の組み合わせの代わりに、２５６ＱＡＭ及び符号化率の組み合わせを示すように置換されたＣＱＩインデックス（例えば、図７Ａでは、「２」、「４」、「６」、「１５」）である。また、Ｚは、６４ＱＡＭを示す最大のＣＱＩインデックス値（例えば、図７Ａでは、「１４」）であるが、これに限られない。
【００４４】
図７Ａでは、Ｚが「１４」であり、２５６ＱＡＭと符号化率Ｃ１との組み合わせを示す仮想ＣＱＩインデックスが、「１５（＝１４＋１）」である。同様に、２５６ＱＡＭと符号化率Ｃ２−Ｃ４との組み合わせを示す仮想ＣＱＩインデックスが、それぞれ、「１６（＝１４＋２）」、「１７（＝１４＋３）」、「１８（＝１４＋４）」である。
【００４５】
図８は、本発明の第１態様に係る無線通信方法を示すフローチャートである。なお、図８Ａは、ユーザ端末の動作を示し、図８Ｂは、無線基地局の動作を示す。
【００４６】
図８Ａに示すように、ユーザ端末は、図７Ａに示すＣＱＩテーブルを参照し、測定されたワイドバンドＳＩＮＲに適用可能な変調方式及び符号化率を示すＣＱＩインデックス（ワイドバンドＣＱＩインデックス）と、当該ＣＱＩインデックスに関連付けられる仮想ＣＱＩインデックス（仮想ワイドバンドＣＱＩインデックス）とを導出する（ステップＳＴ１１１）。例えば、ユーザ端末は、ワイドバンドＣＱＩインデックス「６」と、仮想ワイドバンドＣＱＩインデックス「１７」と、を導出する。
【００４７】
ユーザ端末は、図７Ａに示すＣＱＩテーブルを参照し、測定されたサブバンドＳＩＮＲに適用可能な変調方式及び符号化率を示す仮想ＣＱＩインデックス（仮想サブバンドＣＱＩインデックス）を導出する（ステップＳＴ１１２）。例えば、ユーザ端末は、仮想サブバンドＣＱＩインデックス「１８」を導出する。
【００４８】
ユーザ端末は、ステップＳＴ１１２で導出された仮想サブバンドＣＱＩインデックスからステップＳＴ１１１で導出された仮想ワイドバンドＣＱＩインデックスを減算して、仮想サブバンドＣＱＩインデックスと仮想ワイドバンドＣＱＩインデックスとのオフセット（差）を算出する（ステップＳＴ１１３）。当該オフセット（Differential  CQI  offset）は、仮想サブバンドＣＱＩインデックスと仮想ワイドバンドＣＱＩインデックスとの差であり、サブバンドＣＱＩインデックスとワイドバンドＣＱＩインデックスとの差（図３のステップＳＴ１３参照）とは異なる。
【００４９】
ユーザ端末は、図４に示すテーブルを参照し、算出されたオフセットに対応するオフセットインデックス（Subband  differential  CQI  value、Differential  CQI  index）を決定する。例えば、仮想サブバンドＣＱＩインデックスが「１８」であり、仮想ワイドバンドＣＱＩインデックスが「１７」である場合、オフセットは「１（＝１８−１７）」であるので、オフセットインデックスは「１」である。
【００５０】
ユーザ端末は、決定されたオフセットインデックスと、ステップＳＴ１１１で導出されたワイドバンドＣＱＩインデックスとを無線基地局にフィードバックする（ステップＳＴ１１４）。例えば、ユーザ端末は、ワイドバンドＣＱＩインデックス「６」と、オフセットインデックス「１」と、をフィードバックする。
【００５１】
図８Ｂに示すように、無線基地局は、ユーザ端末からフィードバックされたワイドバンドＣＱＩインデックスに関連付けられる仮想ワイドバンドＣＱＩインデックスを導出する（ステップＳＴ１２１）。例えば、無線基地局は、図７Ａに示すＣＱＩテーブルを参照し、ユーザ端末からフィードバックされたワイドバンドＣＱＩインデックス「６」から、仮想ワイドバンドＣＱＩインデックス「１７」を導出する。
【００５２】
無線基地局は、ステップＳＴ１２１で導出された仮想ワイドバンドＣＱＩインデックスとユーザ端末からフィードバックされたオフセットインデックス（Differential  CQI  index）とを加算して、仮想サブバンドＣＱＩインデックスを算出する（ステップＳＴ１２２）。例えば、無線基地局は、仮想ワイドバンドＣＱＩインデックス「１７」とオフセットインデックス「１」とを加算して、仮想サブバンドＣＱＩインデックス「１８」を算出する。
【００５３】
無線基地局は、算出された仮想サブバンドＣＱＩインデックスに基づいて、サブバンドＳＩＮＲを導出する（ステップＳＴ１２３）。例えば、無線基地局は、仮想サブバンドＣＱＩインデックス「１８」からサブバンドＳＩＮＲを導出する。
【００５４】
第１態様に係る無線通信方法によれば、図７Ａに示すように、仮想ＣＱＩインデックスが、変調方式及び符号化率に対してスペクトル効率の昇順にソートして付与される。また、この仮想ＣＱＩインデックスを用いて、仮想サブバンドＣＱＩインデックスと仮想ワイドバンドＣＱＩインデックスとのオフセット（差）が算出される。このため、変調方式及び符号化率に対してスペクトル効率の昇順にソートせずにＣＱＩインデックスが付与されるＣＱＩテーブルを用いる場合であっても、無線基地局において、ユーザ端末におけるサブバンドＳＩＮＲの導出精度を維持できる。
【００５５】
以上のように、第１態様に係る無線通信方法は、ユーザ端末において、変調方式及び符号化率を示すＣＱＩインデックス（チャネル品質識別子）と仮想ＣＱＩインデックス（仮想チャネル品質識別子）とを関連付けるテーブル（図７Ａ参照）から、ワイドバンドＳＩＮＲ（ワイドバンドのチャネル品質）に対応するワイドバンドＣＱＩインデックス（第１チャネル品質識別子）と、前記ワイドバンドＣＱＩインデックスに関連付けられる仮想ワイドバンドＣＱＩインデックス（第１仮想チャネル品質識別子）と、サブバンドＳＩＮＲ（サブバンドのチャネル品質）に対応するサブバンドＣＱＩインデックス（第２チャネル品質識別子）に関連付けられる仮想サブバンドＣＱＩインデックス（第２仮想チャネル品質識別子）と、を導出（取得）する工程と、前記ユーザ端末において、前記ワイドバンドＣＱＩインデックスと、前記仮想ワイドバンドＣＱＩインデックスと前記仮想サブバンドＣＱＩインデックスとのオフセットを示すオフセットインデックス（オフセット情報）とを無線基地局に送信する工程と、を有する。
【００５６】
また、第１態様に係る無線通信方法は、無線基地局において、前記ユーザ端末から、前記ワイドバンドＣＱＩインデックスと前記オフセットインデックスとを受信する工程と、前記無線基地局において、前記ワイドバンドＣＱＩインデックスに関連付けられる仮想ワイドバンドＣＱＩインデックスと前記オフセットインデックスとに基づいて、前記仮想サブバンドＣＱＩインデックスを算出する工程と、前記無線基地局において、前記仮想サブバンドＣＱＩインデックスに基づいて、前記サブバンドＳＩＮＲを取得する工程と、有する。
【００５７】
（第２態様）
本発明の第２態様に係る無線通信方法を説明する。第２態様に係る無線通信方法では、仮想サブバンドＣＱＩインデックスと仮想ワイドバンドＣＱＩインデックスとのオフセット（差）の代わりに、サブバンドＳＩＮＲとワイドバンドＳＩＮＲとのオフセット（差）を用いる点で、第１態様に係る無線通信方法と異なる。すなわち、第２態様に係る無線通信方法では、図６に示すＣＱＩテーブルをそのまま用いることができる。以下、第１態様に係る無線通信方法との相違点を中心に説明を行う。
【００５８】
図９は、本発明の第２態様に係る無線通信方法を示すフローチャートである。なお、図９Ａは、ユーザ端末の動作を示し、図９Ｂは、無線基地局の動作を示す。
【００５９】
図９Ａに示すように、ユーザ端末は、図６に示すＣＱＩテーブルを参照し、測定されたワイドバンドＳＩＮＲに適用可能な変調方式及び符号化率を示すＣＱＩインデックス（ワイドバンドＣＱＩインデックス）を導出する（ステップＳＴ２１１）。
【００６０】
ユーザ端末は、サブバンドＳＩＮＲとワイドバンドＳＩＮＲとのオフセット（差）であるＳＩＮＲオフセット（Differential  SINR）を算出する（ステップＳＴ２１２）。例えば、ユーザ端末は、サブバンドＳＩＮＲからワイドバンドＳＩＮＲを減算して、ＳＩＮＲオフセットを算出する。
【００６１】
ユーザ端末は、ステップＳＴ２１２で算出したＳＩＮＲオフセット（Differential  SINR）を、サブバンドＣＱＩインデックスとワイドバンドＣＱＩインデックスとのオフセット（Differential  CQI  offset）として設定する（ステップＳＴ２１３）
【００６２】
ユーザ端末は、図１０に示すテーブルを参照し、算出されたＳＩＮＲオフセットに対応するオフセットインデックス（Subband  differential  CQI  value、Differential  CQI  index）を決定する。なお、図１０に示すＳＩＮＲオフセット値は、例示にすぎず、これに限られない。ＳＩＮＲオフセット値とオフセットインデックス値との関連付けは、適宜変更可能である。
【００６３】
また、第２態様に係る無線通信方法では、図１０に示すテーブルの代わりに、図４に示すテーブルを用いてオフセットインデックス（Subband  differential  CQI  value、Differential  CQI  index）を決定することも可能である。この場合、ステップＳＴ２１３において、ユーザ端末は、ステップＳＴ２１２で算出したＳＩＮＲオフセット（Differential  SINR）を所定の係数で演算して（例えば、differential  CQI  offset  =  differential  SINR/1.892のように、ＳＩＮＲオフセットを所定の係数で除算して）、サブバンドＣＱＩインデックスとワイドバンドＣＱＩインデックスとのオフセット（Differential  CQI  offset）として設定してもよい。
【００６４】
ユーザ端末は、決定されたオフセットインデックス（Differential  CQI  index）と、ステップＳＴ２１１で導出されたワイドバンドＣＱＩインデックスとを無線基地局にフィードバックする（ステップＳＴ２１４）。
【００６５】
図９Ｂに示すように、無線基地局は、ユーザ端末からフィードバックされたワイドバンドＣＱＩインデックスに基づいて、ワイドバンドＳＩＮＲを導出する（ステップＳＴ２２１）。
【００６６】
無線基地局は、ユーザ端末からフィードバックされたオフセットインデックス（Differential  CQI  index）に基づいて、ＳＩＮＲオフセット（Differential  SINR）を導出する（ステップＳＴ２２２）。
【００６７】
無線基地局は、ステップＳＴ２２１で導出されたワイドバンドＳＩＮＲとステップＳＴ２２２で導出されたＳＩＮＲオフセット（Differential  SINR）とを加算して、サブバンドＳＩＮＲを算出する（ステップＳＴ２２３）。
【００６８】
以上の第２態様に係る無線通信方法によれば、サブバンドＳＩＮＲとワイドバンドＳＩＮＲとの差であるＳＩＮＲオフセット（Differential  SINR）を用いてオフセットインデックスが導出される。このため、図６に示すように、変調方式及び符号化率に対してスペクトル効率の昇順にソートせずにＣＱＩインデックスが付与されるＣＱＩテーブルを用いる場合であっても、無線基地局において、ユーザ端末におけるサブバンドＳＩＮＲの導出精度を維持できる。
【００６９】
以上のように、第２態様に係る無線通信方法は、ユーザ端末において、変調方式及び符号化率を示すＣＱＩインデックス（チャネル品質識別子）とを関連付けるテーブル（図６参照）から、ワイドバンドＳＩＮＲ（ワイドバンドのチャネル品質）に対応するワイドバンドＣＱＩインデックス（第１チャネル品質識別子）を導出（取得）する工程と、サブバンドＳＩＮＲ（サブバンドのチャネル品質）と前記ワイドバンドＳＩＮＲとのオフセットを示すオフセットインデックス（オフセット情報）を導出（取得）する工程と、前記ユーザ端末において、前記ワイドバンドＣＱＩインデックスと、前記オフセットインデックスとを無線基地局に送信する工程と、を有する。
【００７０】
また、第２態様に係る無線通信方法は、無線基地局において、前記ユーザ端末から、前記ワイドバンドＣＱＩインデックスと前記オフセットインデックスとを受信する工程と、前記無線基地局において、前記ワイドバンドＣＱＩインデックスに基づいて、前記ワイドバンドＳＩＮＲを導出（取得）する工程と、前記オフセットインデックスが示すオフセットと前記ワイドバンドＳＩＮＲとに基づいて、前記サブバンドＳＩＮＲを算出する工程と、を有する。
【００７１】
（無線通信システム）
以下、本実施の形態に係る無線通信システムの構成について説明する。この無線通信システムでは、上述の第１態様及び第２態様に係る無線通信方法が適用される。図１１−図１５を参照し、本実施の形態に係る無線通信システムの概略構成を説明する。
【００７２】
図１１は、本実施の形態に係る無線通信システムの概略構成図である。なお、図１１に示す無線通信システムは、例えば、ＬＴＥシステム、ＬＴＥ−Ａシステム、ＩＭＴ−Ａｄｖａｎｃｅｄ、４Ｇ、ＦＲＡ（Future  Radio  Access）などが包含されるシステムである。
【００７３】
図１１に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。また、マクロセルＣ１及び各スモールセルＣ２には、ユーザ端末２０が配置されている。ユーザ端末２０は、マクロ基地局１１及びスモール基地局１２の双方と無線通信可能に構成されている。
【００７４】
マクロセルＣ１及びスモールセルＣ２では、同一の周波数帯が用いられてもよいし、異なる周波数帯が用いられてもよい。マクロセルＣ１とスモールセルＣ２とで異なる周波数帯が用いられる場合、マクロセルＣ１では、例えば、８００ＭＨｚや２ＧＨｚなどの相対的に低い周波数Ｆ１が用いられ、スモールセルＣ２では、例えば、３．５ＧＨｚ、１０ＧＨｚなどの相対的に高い周波数Ｆ２が用いられてもよい。なお、周波数Ｆ１のキャリアは、既存キャリア、レガシーキャリア、カバレッジキャリアなどと呼ばれてもよい。また、周波数Ｆ２のキャリアは、ＮＣＴ（New  Carrier  Type）追加（additional）キャリア、キャパシティキャリアなどと呼ばれてもよい。
【００７５】
マクロ基地局１１及び各スモール基地局１２は、有線接続されてもよいし、無線接続されてもよい。マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００７６】
なお、マクロ基地局１１は、相対的に広いカバレッジを有する無線基地局であり、ｅＮｏｄｅＢ、無線基地局装置、送信ポイントなどと呼ばれてもよい。スモール基地局１２は、局所的なカバレッジを有する無線基地局であり、ＲＲＨ（Remote  Radio  Head）、ピコ基地局、フェムト基地局、Ｈｏｍｅ  ｅＮｏｄｅＢ、送信ポイント、ｅＮｏｄｅＢなどと呼ばれてもよい。
【００７７】
また、スモール基地局１２によって形成されるスモールセルＣ２は、サブフレームの先頭最大３ＯＦＤＭシンボルにＰＤＣＣＨが配置されるタイプのセルであってもよいし、当該ＰＤＣＣＨが配置されないタイプ（ＮＣＴ）のセルであってもよい。
【００７８】
以下、マクロ基地局１１及びスモール基地局１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００７９】
無線通信システム１においては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００８０】
ここで、図１１に示す無線通信システムで用いられる通信チャネルについて説明する。下りリンクの通信チャネルは、各ユーザ端末２０で共有されるＰＤＳＣＨ（下り共有チャネル）と、下りＬ１／Ｌ２制御チャネル（ＰＤＣＣＨ、ＰＣＦＩＣＨ、ＰＨＩＣＨ、ＥＰＤＣＣＨ）とを有する。ＰＤＳＣＨにより、ユーザデータ及び上位レイヤ制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。また、ＥＰＤＣＣＨにより、ＰＤＳＣＨ及びＰＵＳＣＨのスケジューリング情報等が伝送されてもよい。このＥＰＤＣＣＨ（拡張下り制御チャネル）は、ＰＤＳＣＨと周波数分割多重される。
【００８１】
上りリンクの通信チャネルは、各ユーザ端末２０で共有されるＰＵＳＣＨ（上り共有チャネル）と、上りリンクの制御チャネルであるＰＵＣＣＨ（Physical  Uplink  Control  Channel）とを有する。このＰＵＳＣＨにより、ユーザデータや上位レイヤ制御情報が伝送される。また、ＰＵＣＣＨにより、下りリンクの無線品質情報（CQI：Channel  Quality  Indicator）、ＡＣＫ/ＮＡＣＫ等が伝送される。
【００８２】
図１２は、本実施の形態に係る無線基地局１０（マクロ基地局１１及びスモール基地局１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００８３】
下りリンクにより無線基地局１０からユーザ端末２０に送信されるユーザデータは、上位局装置３０から伝送路インターフェース１０６を介してベースバンド信号処理部１０４に入力される。
【００８４】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００８５】
各送受信部１０３は、ベースバンド信号処理部１０４からアンテナ毎にプリコーディングして出力された下り信号を無線周波数帯に変換する。アンプ部１０２は、周波数変換された無線周波数信号を増幅して送受信アンテナ１０１により送信する。
【００８６】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８７】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００８８】
図１３は、本実施の形態に係るユーザ端末２０の全体構成図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５とを備えている。
【００８９】
下り信号については、複数の送受信アンテナ２０１で受信された無線周波数信号がそれぞれアンプ部２０２で増幅され、送受信部２０３で周波数変換され、ベースバンド信号処理部２０４に入力される。ベースバンド信号処理部２０４では、ＦＦＴ処理や、誤り訂正復号、再送制御の受信処理等がなされる。この下り信号に含まれるユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【００９０】
一方、上りリンクのユーザデータについては、アプリケーション部２０５からベースバンド信号処理部２０４に入力される。ベースバンド信号処理部２０４では、再送制御（Ｈ−ＡＲＱ（Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【００９１】
次に、図１４及び１５を参照し、無線基地局１０（マクロ基地局１１、スモール基地局１２を含む）と、ユーザ端末２０との詳細構成について説明する。
【００９２】
図１４は、本実施の形態に係る無線基地局１０の詳細構成図である。なお、以下の機能構成は、無線基地局１０が有するベースバンド信号処理部１０４などによって構成される。図１４に示すように、無線基地局１０は、取得部３０１、ＣＱＩテーブル３０２を具備する。
【００９３】
取得部３０１には、送受信部１０３によってユーザ端末２０から受信されたワイドバンドＣＱＩインデックス（第１ＣＱＩインデックス）とオフセットインデックス（オフセット情報）とが入力される（第１態様、第２態様）。
【００９４】
取得部３０１は、ＣＱＩテーブル３０２（図７Ａ）からワイドバンドＣＱＩインデックスに関連付けられる仮想ワイドバンドＣＱＩインデックス（第１仮想ＣＱＩインデックス）を取得し、当該仮想ワイドバンドＣＱＩインデックスとユーザ端末２０からのオフセットインデックスとに基づいて、仮想サブバンドＣＱＩインデックス（第２仮想ＣＱＩインデックス）を算出する（第１態様）。また、取得部３０１は、仮想サブバンドＣＱＩインデックスに基づいて、サブバンドＳＩＮＲ（サブバンドのチャネル品質）を取得する（第１態様）。
【００９５】
取得部３０１は、ワイドバンドＣＱＩインデックスに基づいて、ワイドバンドＳＩＮＲ（ワイドバンドのチャネル品質）を取得する（第２態様）。取得部３０１は、オフセットインデックスが示すオフセットとワイドバンドＳＩＮＲとに基づいて、サブバンドＳＩＮＲ（サブバンドのチャネル品質）を算出する（第２態様）。
【００９６】
ＣＱＩテーブル３０２は、図７Ａに示すように、変調方式及び符号化率を示すＣＱＩインデックス（チャネル品質識別子）と仮想ＣＱＩインデックス（仮想チャネル品質識別子）とを関連付けるテーブルである（第１態様）。ＣＱＩテーブル３０２では、変調方式及び符号化率におけるスペクトル効率の昇順にソートして、仮想ＣＱＩインデックスが付与される。一方、ＣＱＩテーブル３０２では、変調方式及び符号化率におけるスペクトル効率の昇順にソートせずに、ＣＱＩインデックスが付与される。
【００９７】
或いは、ＣＱＩテーブル３０２は、図６に示すように、変調方式と符号化率とチャネル品質識別子（ＣＱＩインデックス）とを関連付けるテーブルであってもよい（第２態様）。
【００９８】
図１５は、本実施の形態に係るユーザ端末２０の詳細構成図である。なお、以下の機能構成は、ユーザ端末２０が有するベースバンド信号処理部２０４などによって構成される。図１５に示すように、ユーザ端末２０は、測定部４０１、取得部４０２、ＣＱＩテーブル４０３、オフセットテーブル４０４を具備する。
【００９９】
測定部４０１は、無線基地局１０からの参照信号（例えば、ＣＳＩ−ＲＳ、ＣＲＳ）を用いて、チャネル品質を測定する。チャネル品質は、例えば、ＳＮＲ、ＳＩＮＲなどであってもよい。具体的には、測定部４０１は、ワイドバンドＳＩＮＲ（ワイドバンドのチャネル品質）と、サブバンドＳＩＮＲ（サブバンドのチャネル品質）と、を測定する。
【０１００】
取得部４０２は、ＣＱＩテーブル４０３（図７Ａ）から、ワイドバンドＳＩＮＲに対応するワイドバンドＣＱＩインデックス（第１チャネル品質識別子）と、ワイドバンドＣＱＩインデックスに関連付けられる仮想ワイドバンドＣＱＩインデックス（第１仮想チャネル品質識別子）と、サブバンドＳＩＮＲに対応するサブバンドＣＱＩインデックス（第２チャネル品質識別子）に関連付けられる仮想サブバンドＣＱＩインデックス（第２仮想チャネル品質識別子）とを取得する（第１態様）。
【０１０１】
また、取得部４０２は、オフセットテーブル４０４（図４）から、仮想ワイドバンドＣＱＩインデックスと仮想サブバンドＣＱＩインデックスとのオフセットを示すオフセットインデックス（オフセット情報）を取得する（第１態様）。
【０１０２】
また、取得部４０２は、ＣＱＩテーブル（図６）から、ワイドバンドＳＩＮＲ（ワイドバンドのチャネル品質）に対応するワイドバンドＣＱＩインデックス（第１チャネル品質識別子）を取得する（第２態様）。また、取得部４０２は、オフセットテーブル４０４（図４又は図１０）から、サブバンドＳＩＮＲ（サブバンドのチャネル品質）とワイドバンドＳＩＮＲとのオフセットを示すオフセットインデックス（オフセット情報）を取得する。
【０１０３】
取得部４０２によって取得されたワイドバンドＣＱＩインデックスとオフセットインデックスとは、送受信部２０３に出力され、ＰＵＳＣＨ又はＰＵＣＣＨにより、無線基地局１０に送信される（第１態様、第２態様）。
【０１０４】
ＣＱＩテーブル４０３は、図７Ａに示すように、変調方式及び符号化率を示すＣＱＩインデックス（チャネル品質識別子）と仮想ＣＱＩインデックス（仮想チャネル品質識別子）とを関連付けるテーブルである（第１態様）。ＣＱＩテーブル４０３では、変調方式及び符号化率におけるスペクトル効率の昇順にソートして、仮想ＣＱＩインデックスが付与される。一方、ＣＱＩテーブル４０３では、変調方式及び符号化率におけるスペクトル効率の昇順にソートせずに、ＣＱＩインデックスが付与される。
【０１０５】
或いは、ＣＱＩテーブル４０３は、図６に示すように、変調方式と符号化率とチャネル品質識別子（ＣＱＩインデックス）とを関連付けるテーブルであってもよい（第２態様）。
【０１０６】
オフセットテーブル４０４は、図４に示すように、仮想サブバンドＣＱＩインデックス（第１仮想チャネル品質識別子）と仮想ワイドバンドＣＱＩインデックス（第２仮想チャネル品質識別子）とのオフセット（offset  level）と、当該オフセットを示すオフセットインデックス（Subband  differential  CQI  value）と、を関連付けるテーブルである（第１態様）。
【０１０７】
或いは、オフセットテーブル４０４は、図１０に示すように、サブバンドＳＩＮＲ（サブバンドのチャネル品質）とワイドバンドＳＩＮＲ（ワイドバンドのチャネル品質）とのＳＩＮＲオフセット（offset  level）と、当該ＳＩＮＲオフセットを示すオフセットインデックス（Subband  differential  CQI  value）とを関連付けるテーブルであってもよい（第２態様）。
【０１０８】
以上のように、本実施の形態に係る無線通信システム１によれば、６４ＱＡＭよりも高次の変調方式をサポートする適応変調符号化（ＡＭＣ）が可能となるので、スペクトル効率が向上する。また、変調方式及び符号化率に対してスペクトル効率の昇順にソートせずにＣＱＩインデックスが付与されるＣＱＩテーブルを用いる場合であっても、無線基地局において、ユーザ端末におけるサブバンドＳＩＮＲの導出精度を維持できる。
【０１０９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１０】
１…無線通信システム
１０…無線基地局
１１…マクロ基地局
１２、１２ａ、１２ｂ…スモール基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１…取得部
３０２…ＣＱＩテーブル
４０１…測定部
４０２…取得部
４０３…ＣＱＩテーブル
４０４…オフセットテーブル
【図１】
2015185932.tif 000003
【図２】
2015185932.tif 000004
【図３】
2015185932.tif 000005
【図４】
2015185932.tif 000006
【図５】
2015185932.tif 000007
【図６】
2015185932.tif 000008
【図７】
2015185932.tif 000009
【図８】
2015185932.tif 000010
【図９】
2015185932.tif 000011
【図１０】
2015185932.tif 000012
【図１１】
2015185932.tif 000013
【図１２】
2015185932.tif 000014
【図１３】
2015185932.tif 000015
【図１４】
2015185932.tif 000016
【図１５】
2015185932.tif 000017